(57)【要約】【課題】従来の組立て手法を変更することなく整流板を組み込み可能なディスク駆動装置を提供する。【解決手段】  ケース１０内に設けられたモータ１８により複数枚のディスク１６ａ、１６ｂが支持され回転される。ケース内に整流部材６０が設けられている。整流部材は、複数枚のディスク間に配置されディスクの表面と隙間を置いて対向した整流板６２と、ディスクの外側で整流板から延出し、ケースの底壁およびカバー間に挟持されて整流板を支持した複数の支持部６４と、を有している。【選択図】    図２
2006012330.tif 000002
【特許請求の範囲】
【請求項１】
底壁およびカバーを有したケースと、
回転自在なハブを有し前記ケース内に設けられたモータと、
それぞれ前記モータに支持され回転される複数枚のディスクと、
前記ディスクに対して情報処理を行うヘッドと、
前記複数枚のディスク間に配置され前記ディスクの表面と隙間を置いて対向した整流板、および前記ディスクの外側で前記整流板から延出し、前記ケースの底壁およびカバー間に挟持されて前記整流板を支持した複数の支持部を有した整流部材と、
を備えたことを特徴とするディスク駆動装置。
【請求項２】
前記各ディスクは、外周縁部に位置した第１非データ記録領域、内周縁部に位置した第２非データ記録領域、および前記第１、第２非データ記録領域間に位置したデータ記録領域を有し、
前記整流板は、前記ディスクの第１非データ記録領域に対向し前記ディスク方向への前記整流板の移動を規制する第１領域と、前記第１領域から前記ディスクの内周側に延出し前記データ記録領域と対向した第２領域と、を有し、前記第１領域は前記第２領域よりも厚く形成されている請求項１に記載のディスク駆動装置。
【請求項３】
前記各ディスクは、外周縁部に位置した第１非データ記録領域、内周縁部に位置した第２非データ記録領域、および前記第１、第２非データ記録領域間に位置したデータ記録領域を有し、
前記整流板は、前記ディスクの第１非データ記録領域に対向し前記ディスク方向への前記整流板の移動を規制する第１領域と、前記第１領域から前記ディスクの内周側に延出し前記データ記録領域と対向した第２領域と、前記ディスクの第２非データ記録領域に対向し前記ディスク方向への前記整流板の移動を規制する第３領域と、を有し、前記第１領域および第３領域は前記第２領域よりも厚く形成されている請求項１に記載のディスク駆動装置。
【請求項４】
前記モータに取り付けられ前記複数のディスクの内周縁部間に位置したスペーサリングを備え、前記スペーサリングは、その外周面に形成された溝を有し、
前記各ディスクは、外周縁部に位置した第１非データ記録領域、内周縁部に位置した第２非データ記録領域、および前記第１、第２非データ記録領域間に位置したデータ記録領域を有し、
前記整流板は、前記ディスクの第１非データ記録領域に対向し前記ディスク方向への前記本体の移動を規制する第１領域と、前記第１領域から前記ディスクの内周側に延出し前記データ記録領域と対向した第２領域と、前記スペーサリングの溝内に隙間を置いて位置し、前記ディスク方向への前記整流板の移動を規制する第３領域と、を有し、前記第１領域は前記第２領域よりも厚く形成されている請求項１に記載のディスク駆動装置。
【請求項５】
回動自在な複数のアームと前記アームから延出しているとともにそれぞれ前記ヘッドを支持した複数のサスペンションと、を有し、前記ディスクに対して前記ヘッドを移動可能に支持したヘッドアクチュエータを具備し、
前記整流板は、前記ディスクに対するヘッドアクチュエータの移動領域を除き、前記ディスクの円周方向について前記ディスクの１／２以上の領域と対向して設けられている請求項１ないし４のいずれか１項に記載のディスク駆動装置。
【請求項６】
回動自在な複数のアームと前記アームから延出しているとともにそれぞれ前記ヘッドを支持した複数のサスペンションと、を有し、前記ディスクに対して前記ヘッドを移動可能に支持したヘッドアクチュエータを具備し、
前記整流板は、前記複数のサスペンション間に延出しているとともに他の領域よりも薄く形成されたアクチュエータ対向領域を有している請求項１ないし４のいずれか１項に記載のディスク駆動装置。
【請求項７】
前記各支持部は、前記整流板から延出し前記底壁に係合した第１ポストと、前記整流板から延出し前記カバーに当接した第２ポストと、を有している請求項１ないし６のいずれか１項に記載のディスク駆動装置。
【請求項８】
前記第１および第２ポストは互いに整列して設けられている請求項７に記載のディスク駆動装置。
【請求項９】
前記整流板および支持部は合成樹脂により一体に成形されている請求項７又は８に記載のディスク駆動装置。
【発明の詳細な説明】
【技術分野】
【０００１】
この発明は、高速で回転するディスクを備えた磁気ディスク装置等のディスク駆動装置に関する。
【背景技術】
【０００２】
一般に、磁気ディスク装置は、ケース内に配設された磁気ディスク、磁気ディスクを支持および回転駆動するスピンドルモータ、磁気ヘッドを支持したキャリッジアッセンブリ、キャリッジアッセンブリを駆動するボイスコイルモータ、基板ユニット等を備えている。
【０００３】
スピンドルモータは円筒状のハブを有し、このハブに、複数枚の磁気ディスクおよびスペーサリングが交互に積層されている。そして、これらの磁気ディスクおよびスペーサリングは、ハブの先端に取り付けられたディスククランパによりハブ外周に固定されている。
【０００４】
このような磁気ディスク装置において、高速なデータ処理を行うためには磁気ディスクの回転数を上げる必要がある。そのため、近年、高速回転型の磁気ディスク装置が研究されている。しかし、磁気ディスクが高速回転すると、磁気ディスクと同一回転方向の気流が発生し、この気流の乱れにより磁気ディスクが振動するディスクフラッタと呼ばれる現象が生じる。この場合、磁気ディスクに対する磁気ヘッドの位置決め精度が低下し、記録密度の向上に支障を生じる。
【０００５】
上記のような問題を解決するため、ディスクの回転によって引き起こされるディスク周方向の空気流を円滑にするシュラウドを備えた磁気ディスク装置が提案されている（例えば、特許文献１）。このシュラウドは円弧状に形成され、ディスクの外周を取り巻くように設けられている。シュラウドのない周面には櫛歯が設立され、これらの櫛歯はディスクの最外周から内周に入り込むようにディスク間に間挿されている。
【特許文献１】特開２０００−３２２８７０号公報
【発明の開示】
【発明が解決しようとする課題】
【０００６】
しかしながら、上記構成の磁気ディスク装置において、シュラウドを装置に組み込む場合、積層配置された磁気ディスクに対し、その側方から挿入する必要がある。そのため、装置の組立てが困難であるとともに、製造工程が複雑となる。
【０００７】
この発明は以上の点に鑑みなされたもので、その目的は、従来の組立て手法を変更することなく整流板を組み込み可能なディスク駆動装置を提供することにある。
【課題を解決するための手段】
【０００８】
上記目的を達成するため、この発明の形態に係るディスク駆動装置は、底壁およびトップカバーを有したケースと、回転自在なハブを有し前記ケース内に設けられたモータと、それぞれ前記モータに支持され回転される複数枚のディスクと、前記ディスクに対して情報処理を行うヘッドと、前記複数枚のディスク間に配置され前記ディスクの表面と隙間を置いて対向した整流板、および前記ディスクの外側で前記整流板から延出し、前記ケースの底壁およびカバー間に挟持されて前記整流板を支持した複数の支持部を有した整流部材と、を備えている。
【発明の効果】
【０００９】
本発明によれば、整流部材はケースの底壁およびカバー間に挟持されて整流板を支持した支持部を備えていることから、整流板をディスクと積層して組立てることができ、従来の組立て手法を変更することなく整流板を組み込み可能なディスク駆動装置を提供することができる。
【発明を実施するための最良の形態】
【００１０】
以下図面を参照しながら、この発明の実施の形態に係るディスク駆動装置としてハードディスクドライブ（以下、ＨＤＤと称する）について詳細に説明する。図１ないし図３に示すように、ＨＤＤはケース１０を備えている。ケース１０は、矩形状の底壁１２ａを有しているとともに上面の開口した矩形箱状のベース１２と、複数のねじによりベースにねじ止めされてベースの上端開口を閉塞したトップカバー１１と、を有している。
【００１１】
ケース１０内には、ベース１２の底壁１２ａに取り付けられたスピンドルモータ１８と、このスピンドルモータによって支持および回転駆動される２枚の磁気ディスク１６ａ、１６ｂとが配設されている。ケース１０内には、磁気ディスク１６ａ、１６ｂに対して情報の記録、再生を行なう複数の磁気ヘッド、これらの磁気ヘッドを磁気ディスク１６ａ、１６ｂに対して移動自在に支持したキャリッジアッセンブリ２２、キャリッジアッセンブリを回動および位置決めするボイスコイルモータ（以下ＶＣＭと称する）２４、磁気ヘッドが磁気ディスクの最外周に移動した際、磁気ヘッドを磁気ディスクから離間した退避位置に保持するランプロード機構２５、およびプリアンプ等を有する基板ユニット２１が収納されている。ベース１２の底壁１２ａ外面には、基板ユニット２１を介してスピンドルモータ１８、ＶＣＭ２４、および磁気ヘッドの動作を制御する図示しないプリント回路基板がねじ止めされている。
【００１２】
キャリッジアッセンブリ２２は、ベース１２の底壁１２ａ上に固定された軸受部２６と、軸受部から延出した４本のアーム２８と、を備えている。これらのアーム２８は、磁気ディスク１６ａ、１６ｂの表面と平行に、かつ、互いに所定の間隔を置いて位置しているとともに、軸受部２６から同一の方向へ延出している。キャリッジアッセンブリ２２は、弾性変形可能な細長い板状のサスペンション３０を備えている。サスペンション３０は、板ばねにより構成され、その基端がスポット溶接あるいは接着によりアーム２８の先端に固定され、アームから延出している。なお、各サスペンション３０は対応するアーム２８と一体に形成されていてもよい。
【００１３】
サスペンション３０の延出端には磁気ヘッド３２が取り付けられている。磁気ヘッド３２は、ほぼ矩形状のスライダとこのスライダに形成された記録再生用のＭＲ（磁気抵抗）ヘッドとを有し、サスペンション３０の先端部に形成されたジンバル部に固定されている。それぞれサスペンション３０に取り付けられた４つの磁気ヘッド３２は、２個づつ互いに向かい合って位置し、各磁気ディスクを両面側から挟むように配設されている。
【００１４】
一方、キャリッジアッセンブリ２２は、軸受部２６からアーム２８と反対の方向へ延出した支持枠３４を有し、この支持枠により、ＶＣＭ２４の一部を構成するボイスコイル３６が支持されている。支持枠３４は、合成樹脂によりボイスコイル３６の外周に一体的に成形されている。ボイスコイル３６は、ベース１２上に固定された一対のヨーク３８間に位置し、これらのヨーク、および一方のヨークに固定された図示しない磁石とともにＶＣＭ２４を構成している。ボイスコイル３６に通電することにより、軸受部２６の回りでキャリッジアッセンブリ２２が回動し、磁気ヘッド３２は磁気ディスク１６ａ、１６ｂの所望のトラック上に移動および位置決めされる。キャリッジアッセンブリ２２およびＶＣＭはヘッドアクチュエータを構成している。
【００１５】
ランプロード機構２５は、ベース１２の底壁１２ａに設けられているとともに磁気ディスク１６ａ、１６ｂの外側に配置されたランプ４０と、各サスペンション３０の先端から延出したタブ４２と、を備えている。キャリッジアッセンブリ２２が回動し、磁気ヘッド３２が磁気ディスク１６ａ、１６ｂの外側の退避位置まで回動する際、各タブ４２は、ランプ４０に形成されたランプ面と係合し、その後、ランプ面の傾斜によって引き上げられ、磁気ヘッド３２をアンロードする。
【００１６】
磁気ディスク１６ａ、１６ｂは、直径６５ｍｍ（２．５インチ）に形成され、その中央部に内孔４４を有している。各磁気ディスクの上面および下面は、外周縁部に位置した第１非データ記録領域Ａ、内周縁部に位置した第２非データ記録領域Ｂ、およびこれら第１、第２非データ記録領域間に位置したデータ記録領域Ｃをそれぞれ有している。
【００１７】
スピンドルモータ１８は、ロータとして機能するハブ４６を備えている。２枚の磁気ディスク１６ａ、１６ｂは互いに同軸的にハブ４６に嵌合され、ハブの軸方向に沿って所定の間隔をおいて積層されている。磁気ディスク１６ａ、１６ｂは、スピンドルモータ１８により所定の速度でハブ４６と一体に回転駆動される。
【００１８】
詳細に説明すると、スピンドルモータ１８のハブ４６は上端が閉塞した円筒状に形成されている。ハブ４６は図示しない軸受を介してスピンドルに回転自在に支持されている。ハブ４６の下端部外周には、フランジ状のディスク受け部４８が形成されている。２枚の磁気ディスク１６ａ、１６ｂは、その内孔４４にハブ４６が挿通された状態でハブの外周面に嵌合され、ディスク受け部４８上に積層されている。また、ハブ４６の外周にはスペーサリング５０が嵌合され、磁気ディスク１６ａ、１６ｂ間に挟まれた状態で積層されている。スペーサリング５０は磁気ディスク１６ａ、１６ｂの第２非データ記録領域Ｂに接触している。スペーサリング５０は上下に２分割された第１および第２リング５０ａ、５０ｂを積層して構成されているとともに、スペーサリング５０の外周には溝５２が形成され全周に渡って延びている。
【００１９】
ハブ４６の上端面には、ねじ５４によって円盤状のディスククランパ５６がねじ止めされている。ディスククランパ５６の外周部は上段の磁気ディスク１６ａの第２非データ記録領域Ｂに当接し、２枚の磁気ディスク１６ａ、１６ｂおよびスペーサリング５０をハブ４６のディスク受け部４８に向かって押圧している。これにより、磁気ディスク１６ａ、１６ｂおよびスペーサリング５０は、ディスク受け部４８とディスククランパ５６との間に挟持され、互いに密着した状態でハブ４６に固定保持されている。そして、ディスククランパ５６は、ハブ４６および磁気ディスク１６ａ、１６ｂと一体に回転駆動される。
【００２０】
図１ないし図３に示すように、ＨＤＤは、磁気ディスク１６ａ、１６ｂの回転によって引き起こされるディスク周方向の空気流を整流し円滑にする整流部材６０を備えている。整流部材６０は、２枚の磁気ディスク１６ａ、１６ｂ間に配置され磁気ディスクの表面と隙間を置いて平行に対向した整流板６２と、整流板から延出した複数、例えば、３つの支持部６４とを有し、合成樹脂により一体成形されている。
【００２１】
整流板６２は、ほぼ矩形板状に形成され、その中心部に透孔６６が形成されているとともに、この透孔に連通して扇状に切欠かれた切欠き部６７を有している。整流板６２は、磁気ディスク１６ａ、１６ｂの第１非データ記録領域Ａに対向した第１領域６２ａ、第１領域６２ａから磁気ディスクの内周側に延出し磁気ディスク１６ａ、１６ｂのデータ記録領域Ｃに対向した第２領域６２ｂ、および、透孔６６の周囲に位置し磁気ディスクの第２非データ記録領域Ｂに対向した第３領域６２ｃを有している。
【００２２】
第１領域６２ａは、第２および第３領域６２ｂ、６２ｃよりも厚く形成されている。第２および第３領域６２ｂ、６２ｃは同一の厚さに形成されている。第１領域６２ａと各磁気ディスク１６ａ、１６ｂとの隙間は、例えば０．２〜０．２５ｍｍに形成され、第２および第３領域６２ｂ、６２ｃと各磁気ディスク１６ａ、１６ｂとの隙間は、例えば０．３ｍｍに形成されている。すなわち、第１領域６２ａは、第２および第３領域６２ｂ、６２ｃよりも磁気ディスク１６ａ、１６ｂの表面に接近して位置している。そして、第１領域６２ａは、磁気ディスク１６ａ、１６ｂあるいは整流板６２が大きく振動した際、各磁気ディスクの第１非データ記録領域Ａに接触し、整流板６２の第２領域６２ｂが磁気ディスク方向へ移動することを規制する。これにより、第１領域６２ａは、第２領域６２ｂが磁気ディスク１６ａ、１６ｂのデータ記録領域Ｃに接触することを防止し、データ記録領域に傷が付いてデータが破壊されることを防止する。
【００２３】
整流板６２の第３領域６２ｃは、スペーサリング５０の溝５２内に隙間を置いて挿入されている。第３領域６２ｃは、磁気ディスク１６ａ、１６ｂあるいは整流板６２が大きく振動した際、スペーサリング５０に接触し、整流板６２の第２領域６２ｂが磁気ディスク方向へ移動することを規制する。これにより、第３領域６２ｃは、第２領域６２ｂが磁気ディスク１６ａ、１６ｂのデータ記録領域Ｃに接触することを防止し、データ記録領域に傷が付いてデータが破壊されることを防止する。
【００２４】
整流板６２は、磁気ディスク１６ａ、１６ｂの円周方向について、磁気ディスクの１／２以上の領域と対向して設けられている。整流板６２の切欠き部６７は、キャリッジアッセンブリ２２の移動領域に位置し、整流板とキャリッジアッセンブリ２２との干渉を防止している。また、整流板６２は、磁気ディスク１６ａ、１６ｂの回転方向において、キャリッジアッセンブリ２２の上流側近傍まで延びている。
【００２５】
整流部材６０の支持部６４は、整流板６２の３つの角部にそれぞれ設けられ、磁気ディスク１６ａ、１６ｂの外側に位置している。各支持部６４は、整流板６２から延出しケースの底壁１２ａに係合した第１ポスト６４ａと、整流板から延出しトップカバー１１に当接した第２ポスト６４ｂと、を有している。第１および第２ポスト６４ａ、６４ｂは互いに同軸的に整列して設けられている。第１ポスト６４ａの延出端には係合突起６５が形成され、この係合突起６５はケースの底壁１２ａに形成された凹所７０に係合している。各支持部６４は、ケース１０の底壁１２ａおよびトップカバー１１間に挟持され、整流板６２を磁気ディスク１６ａ、１６ｂと平行に支持している。
【００２６】
上記のように構成されたＨＤＤによれば、磁気ディスク１６ａ、１６ｂ間に整流板６２を設け、磁気ヘッド３２およびキャリッジアッセンブリ２２と干渉しない範囲で、磁気ディスクに接近して配置している。この整流板６２により、磁気ディスク１６ａ、１６ｂの回転によって生じる表面上の気流を整流することができる。従って、磁気ディスク１６ａ、１６ｂが高速で回転した場合でも、磁気ディスク付近で発生する気流を整流し、気流の乱れに起因するディスクフラッタを低減することができる。これにより、磁気ディスクの振動を低減し磁気ディスクに対するヘッド位置決め精度が向上したＨＤＤを得ることができる。
【００２７】
上述した実施形態に係る整流板６２を備えたＨＤＤと、整流体を持たない従来のＨＤＤとを用意し、それぞれのＨＤＤについて、磁気ディスク表面の位置決め精度（ＮＲＲＯ）を測定した。ここで、ＮＲＲＯ（ノン−リビーチブ  ランアウト）は回転に同期しない振動成分を示している。位置決め精度の測定には、磁気ヘッドのオフトラック信号を使用し、ＦＦＴアナライザにより各周波数のスペクトルを測定した。この図において、特性線Ａは本実施形態に係るＨＤＤを、特性線Ｂは従来のＨＤＤを示している。
【００２８】
図４において、各特性線Ａ、Ｂのスペクトルのピークは、気流の乱れに起因するディスクフラッタ成分と、キャリッジアッセンブリおよびサスペンションの振動成分を含んでいる。この図から、従来のＨＤＤに比較して、本実施形態に係るＨＤＤは位置決め精度が約２０〜３０％程度改善していることが解る。
【００２９】
また、上記ＨＤＤによれば、整流部材６０は、整流板６２を支持した３つの支持部６４を有し、これらの支持部はケース１０の底壁１２ａとトップカバー１１との間に挟持された状態で整流板を支持している。そのため、ＨＤＤの組立てに際して、従来の組立て手順を変更することなく、整流部材６０を組み込むことができる。
【００３０】
すなわち、図３に示すように、組立て時、一方の磁気ディスク１６ｂおよびリング５０ｂをスピンドルモータ１８のハブ４６に装着した後、整流部材６０を磁気ディスク１６ｂに重ねて配置し、支持部６４の第１ポスト６４ａをケースの底壁１２ａ上に載置する。この際、第１ポスト６４ａの係合突起６５を底壁１２ａの凹所７０に係合し、整流部材６０を位置決めする。これにより、整流板６２は磁気ディスク１６ｂと対向した状態に支持される。続いて、リング５０ａ、磁気ディスク１６ａおよびディスククランパ５６を順にハブ４６に装着する。その後、トップカバー１１をベース１２にねじ止めし、このトップカバーを整流部材６０の第２ポスト６４ｂに当接させる。これにより、整流部材６０の各支持部６４をケース１０の底壁１２ａとトップカバー１１との間に挟持し、所定位置に保持する。これにより、組立てが完了する。
【００３１】
このように、磁気ディスク、スペーサリングおよび整流部材を順番に積層していくだけの簡単な組立て工程により、複数の磁気ディスク間に整流板を組み込むことができる。また、整流部材６０をねじ止めする必要がなく、一層容易に組立てることができる。更に、上記ＨＤＤによれば、整流板６２は、移動規制部として機能する第１および第３領域６２ａ、６２ｃを有しているため、磁気ディスク１６ａ、１６ｂのデータ記録領域と整流板との干渉を防止することができる。これにより、整流板６２を加えた場合に問題となる耐衝撃性を大幅に向上することができる。
【００３２】
次に、この発明の第２の実施形態に係るＨＤＤについて説明する。図５および図６に示すように、第２の実施形態によれば、整流部材６０の整流板６２は、ほぼ矩形板状に形成され、その中心部に透孔６６が形成されているとともに、この透孔に対して扇状に切欠かれた切欠き部６７を有している。整流板６２は、磁気ディスク１６ａ、１６ｂの第１非データ記録領域Ａに対向した第１領域６２ａ、第１領域から磁気ディスクの内周側に延出し磁気ディスク１６ａ、１６ｂのデータ記録領域Ｃに対向した第２領域６２ｂ、および、透孔６６の周囲に位置し磁気ディスクの第２非データ記録領域Ｂに対向した第３領域６２ｃを有している。
【００３３】
第１領域６２ａおよび第３領域６２ｃは、第２領域６２ｂよりも厚く形成されている。第１領域６２ａと各磁気ディスク１６ａ、１６ｂとの隙間、および第３領域６２ｃと各磁気ディスク１６ａ、１６ｂとの隙間は、例えば０．２〜０．２５ｍｍに形成され、第２領域６２ｂと各磁気ディスク１６ａ、１６ｂとの隙間は、例えば０．３ｍｍに形成されている。すなわち、第１および第３領域６２ａ、６２ｃは、第２領域６２ｂよりも磁気ディスク１６ａ、１６ｂの表面に接近して位置している。そして、第１領域６２ａは、磁気ディスク１６ａ、１６ｂあるいは整流板６２が大きく振動した際、各磁気ディスクの第１非データ記録領域Ａに接触し、整流板６２の第２領域６２ｂが磁気ディスク方向へ移動することを規制する。これにより、第１領域６２ａは、第２領域６２ｂが磁気ディスク１６ａ、１６ｂのデータ記録領域Ｃに接触することを防止し、データ記録領域に傷が付いてデータが破壊されることを防止する。
【００３４】
同様に、第３領域６２ｃは、磁気ディスク１６ａ、１６ｂあるいは整流板６２が大きく振動した際、各磁気ディスクの第２非データ記録領域Ｂに接触し、整流板６２の第２領域６２ｂが磁気ディスク方向へ移動することを規制する。これにより、第３領域６２ｃは、第２領域６２ｂが磁気ディスク１６ａ、１６ｂのデータ記録領域Ｃに接触することを防止し、データ記録領域に傷が付いてデータが破壊されることを防止する。
【００３５】
第２の実施形態において、他の構成は前述した実施の形態と同一であり、同一の部分には同一の参照符号を付してその詳細な説明を省略する。そして、第２の実施形態においても、第１の実施形態と同様の作用効果を得ることができる。なお、第２の実施形態において、スペーサリング５０の溝５２は省略してもよい。
【００３６】
次に、この発明の第３の実施形態に係るＨＤＤについて説明する。図７および図８に示すように、第３の実施形態によれば、整流部材６０の整流板６２は、キャリッジアッセンブリ２２を構成している複数のサスペンション３０間に延出した第４領域６２ｄを一体に有している。アクチュエータ対向領域として機能する第４領域６２ｄは、整流板６２の他の領域よりも薄く形成されている。
【００３７】
第３の実施形態において、他の構成は前述した実施の形態と同一であり、同一の部分には同一の参照符号を付してその詳細な説明を省略する。そして、第３の実施形態においても、第１の実施形態と同様の作用効果を得ることができる。更に、第３の実施形態によれば、整流板６２に第４領域６２ｄを設けることにより、空気流によるサスペンション３０の振動を抑制することができ、一層安定して磁気ヘッドを位置決めすることができる。
【００３８】
その他、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００３９】
前述した実施形態において、整流板６２は、磁気ディスクの外周から内周まで延びた構成としたが、これに限定されない。図９に示すように、整流板６２は、磁気ディスク１６ａ、１６ｂの第１非データ記録領域Ａに対向した第１領域６２ａと、第１領域から磁気ディスクの内周に向かって磁気ディスクの中途部まで延びた第２領域６２ｂと、を有し、第２領域を持たない構成としてもよい。この場合、第１領域６２ａは第２領域６２ｂよりも厚く形成されている。このような構成においても、前述した第１の実施形態と同様の作用効果を得ることができる。また、整流板が半径方向に短い設計の場合、整流板の振動が小さいため、充分な耐振動性を確保することができる。
【００４０】
また、上述した実施の形態においては、２枚の磁気ディスクを備えた構成について説明したが、磁気ディスクの枚数は必要に応じて増加可能である。磁気ディスクを３枚以上とした場合、上記と同様の構成を有した整流部材を複数設け、支持部同士が重なって位置するように順次積層して配置すればよい。整流部材の支持部は、整流板と別体に形成されていてもよい。また、支持部は、ポストに限らず、板状あるはブロック形状としてもよい。
【図面の簡単な説明】
【００４１】
【図１】この発明の第１の実施形態に係るＨＤＤを示す平面図。
【図２】図１の線Ｄ−Ｄに沿った上記ＨＤＤの断面図。
【図３】上記ＨＤＤを示す分解斜視図。
【図４】上記第１の実施形態に係るＨＤＤおよび従来のＨＤＤのディスクフラッタの測定結果を比較して示す図。
【図５】この発明の第２の実施形態に係るＨＤＤを示す断面図。
【図６】上記第２の実施形態に係るＨＤＤの整流部材を示す斜視図。
【図７】この発明の第３の実施形態に係るＨＤＤの整流部材およびキャリッジアッセンブリを概略的に示す平面図。
【図８】上記第３の実施形態に係るＨＤＤを示す断面図。
【図９】この発明の他の実施形態に係るＨＤＤを示す断面図。
【符号の説明】
【００４２】
１０…ケース、  １１…トップカバー、  １２…ベース、  １２ａ…底壁、
１６ａ、１６ｂ…磁気ディスク、  １８…スピンドルモータ、
２２…キャリッジアッセンブリ、  ３２…磁気ヘッド、  ４６…ハブ、
６０…整流部材、  ６２…整流板、  ６２ａ…第１領域、  ６２ｂ…第２領域、
６２ｃ…第３領域、  ６２ｄ…第４領域、  ６４…支持部、  ６４ａ…第１ポスト、
６４ｂ…第２ポスト、  ６５…係合突起
【図１】
2006012330.tif 000003
【図２】
2006012330.tif 000004
【図３】
2006012330.tif 000005
【図４】
2006012330.tif 000006
【図５】
2006012330.tif 000007
【図６】
2006012330.tif 000008
【図７】
2006012330.tif 000009
【図８】
2006012330.tif 000010
【図９】
2006012330.tif 000011